(57)【要約】【課題】リモートコントロールシステムにおいて、複数の送信器から送信される信号の混信等を回避しつつ、低コスト化を図る。【解決手段】放送受信装置１００において、第１のユーザがリモコン７０Ａで数字キー７３の「２」の操作に基づく信号を送信すると、放送受信装置１００では、リモコン７０Ａのみの入力を有効とする「排他期間」が開始される。これにより、リモコン７０ＡからＥＮＴＥＲキーへの操作に基づく信号が送信される前に、リモコン７０Ｂが第２のユーザに数字キーの「２」を操作されることにより放送受信装置１００に信号を送信しても、放送受信装置１００では、リモコン７０Ａについての排他期間に入っているため、リモコン７０Ｂから受信した信号は、破棄されるため、実質的には無効とされる。【選択図】図１
2010283424.tif 000002
【特許請求の範囲】
【請求項１】
第１および第２の送信器から送信される信号を受信する受信器であって、
前記第１および第２の送信器から送信された信号を受信する受信手段と、
前記受信手段が受信した信号が前記第１または第２の送信器のいずれが送信した信号であるかを特定する特定手段と、
前記受信手段が受信した信号に対応する処理内容を実行する実行手段と、
前記受信手段が受信した信号を前記実行手段に送信する送信手段と、
前記第１または第２の送信器のいずれか一方から受信した信号を前記実行手段に排他的に処理させる排他期間の開始条件を満たしているか否か、および、前記排他期間の終了条件を満たしているか否かを判断する判断手段とを備え、
前記実行手段は、前記送信手段を介して、前記受信手段が受信した信号を入力され、
前記送信手段は、前記判断手段が、前記排他期間の開始条件が成立したと判断してから前記排他期間の終了条件が成立したと判断するまで、前記第１または第２の送信器のいずれか一方が送信したと特定された信号を前記実行手段に送信し、前記第１または第２の送信器の他方が送信したと特定された信号は前記実行手段に送信しない、受信器。
【請求項２】
前記判断手段は、前記第１または第２の送信器のいずれか一方から信号を受信したことを条件として、前記排他期間の開始条件を満たしていると判断する、請求項１に記載の受信器。
【請求項３】
前記判断手段は、前記第１または第２の送信器のいずれか一方から受信した信号がパスワードの入力に関する信号であることを条件として、前記排他期間の開始条件を満たしていると判断する、請求項２に記載の受信器。
【請求項４】
前記判断手段は、前記第１または第２の送信器のいずれか一方から受信した信号が当該受信器の動作状態を設定するため信号であることを条件として、前記排他期間の開始条件を満たしていると判断する、請求項２または請求項３に記載の受信器。
【請求項５】
前記判断手段は、前記排他期間に、前記第１または第２の送信器のいずれか一方から前記排他期間を終了させるための信号を受信したことを条件として、前記排他期間の終了条件を満たしていると判断する、請求項１〜請求項４のいずれかに記載の受信器。
【請求項６】
前記判断手段は、前記排他期間に、前記第１または第２の送信器のいずれか一方からの信号の前記受信手段が一定時間受信しないことを条件として、前記排他期間の終了条件を満たしていると判断する、請求項１〜請求項４のいずれかに記載の受信器。
【請求項７】
第１の送信器と、第２の送信器と、前記第１および第２の送信器から送信される信号を受信する受信器とを備えたリモートコントロールシステムであって、
前記受信器は、
前記第１および第２の送信器から送信された信号を受信する受信手段と、
前記受信手段が受信した信号が前記第１または第２の送信器のいずれが送信した信号であるかを特定する特定手段と、
前記受信手段が受信した信号に対応する処理内容を実行する実行手段と、
前記受信手段が受信した信号を前記実行手段に送信する送信手段と、
前記第１または第２の送信器のいずれか一方から受信した信号を前記実行手段に排他的に処理させる排他期間の開始条件を満たしているか否か、および、前記排他期間の終了条件を満たしているか否かを判断する判断手段とを含み、
前記実行手段は、前記送信手段を介して、前記受信手段が受信した信号を入力され、
前記送信手段は、前記判断手段が、前記排他期間の開始条件が成立したと判断してから前記排他期間の終了条件が成立したと判断するまで、前記第１または第２の送信器のいずれか一方が送信したと特定された信号を前記実行手段に送信し、前記第１または第２の送信器の他方が送信したと特定された信号は前記実行手段に送信しない、リモートコントロールシステム。
【発明の詳細な説明】
【技術分野】
【０００１】
本発明は、受信器およびリモートコントロールシステムに関し、特に、複数の送信器から受信する信号に応じて処理内容を実行する受信器および当該受信器を備えたリモートコントロールシステムに関する。
【背景技術】
【０００２】
従来から、各種の機器の遠隔操作のためのシステムについて、種々の技術が開示されている。
【０００３】
この中には、このようなリモートコントロールシステムについて、複数対の送信器−受信器間の送信を、それぞれ混信等を回避して独立して行なえるようにするための技術がある。
【０００４】
たとえば、特許文献１には、遠隔操縦装置において、送信器と受信器との間で、指令電波として送受信する電波の周波数およびキーコードを設定し、送信器側では設定された周波数でかつ設定されたキーコードで指令電波を送信し、そして、受信器側では当該周波数でかつキーコードが一致した場合にのみ、送信された指令電波に基づいて遠隔操縦を可能とする技術が開示されている。
【０００５】
また、特許文献２には、同じエリアで複数組のリモートコントロール（以下、「リモコン」と略す）装置を、他のリモコン装置からの信号による誤動作を回避しつつ使用できるようにする技術が開示されている。具体的には、各組で、送信信号について異なるコードが設定されて、使用される。
【０００６】
また、特許文献３には、複数組の送信装置と受信装置を含むリモコン装置において、各送信装置ごとに異なったキャリア周波数で変調して送信する技術が開示されている。
【０００７】
また、特許文献４には、複数対の送信装置と受信装置を含むリモコンシステムにおける受信装置側の処理が開示されている。具体的には、各組ごとに、送信データを送出する間隔が変更され、そして、受信装置では、受信した送信データの重なりの有無が判断される。重なりが検出されたときには、すべての受信信号が破棄される。重なりが検出されないときには、自機と対応する送信装置のＩＤコードを含むことを条件として、当該送信データが受容され、当該送信データに従って機器本体へ所定の信号が送られる。
【先行技術文献】
【特許文献】
【０００８】
【特許文献１】実開平１−８１０９１号公報
【特許文献２】特開平７−１４７６９７号公報
【特許文献３】特開平１１−３５２９７６号公報
【特許文献４】特開平６−９８３８３号公報
【発明の概要】
【発明が解決しようとする課題】
【０００９】
一般の家電機器により構築されるシステムに多く見られるように、リモートコントロールシステムでは、１台の親機に対して、複数の子機が存在する場合が多い。つまり、リモートコントロールシステムにおいて、送信器が複数存在する場合が多く見られる。
【００１０】
従来のリモートコントロールシステムでは、送信器が複数存在する場合には、複数の送信器が送信する信号を混信させることなく受信するため、各送信器について対をなす受信器が必要とされていた。
【００１１】
なお、リモートコントロールシステムをより低コストで実現することは、常に切望されていることである。
【００１２】
本発明は、かかる実情に鑑み考え出されたものであり、その目的は、リモートコントロールシステムにおいて、複数の送信器から送信される信号の混信等を回避しつつ、低コスト化を図ることである。
【課題を解決するための手段】
【００１３】
本発明に従った受信器は、第１および第２の送信器から送信される信号を受信する受信器であって、第１および第２の送信器から送信された信号を受信する受信手段と、受信手段が受信した信号が第１または第２の送信器のいずれが送信した信号であるかを特定する特定手段と、受信手段が受信した信号に対応する処理内容を実行する実行手段と、受信手段が受信した信号を実行手段に送信する送信手段と、第１または第２の送信器のいずれか一方から受信した信号を実行手段に排他的に処理させる排他期間の開始条件を満たしているか否か、および、排他期間の終了条件を満たしているか否かを判断する判断手段とを備え、実行手段は、送信手段を介して、受信手段が受信した信号を入力され、送信手段は、判断手段が、排他期間の開始条件が成立したと判断してから排他期間の終了条件が成立したと判断するまで、第１または第２の送信器のいずれか一方が送信したと特定された信号を実行手段に送信し、第１または第２の送信器の他方が送信したと特定された信号は実行手段に送信しない。
【００１４】
また、本発明の受信器では、判断手段は、第１または第２の送信器のいずれか一方から信号を受信したことを条件として、排他期間の開始条件を満たしていると判断する。
【００１５】
また、本発明の受信器では、判断手段は、第１または第２の送信器のいずれか一方から受信した信号がパスワードの入力に関する信号であることを条件として、排他期間の開始条件を満たしていると判断する。
【００１６】
また、本発明の受信器では、判断手段は、第１または第２の送信器のいずれか一方から受信した信号が当該受信器の動作状態を設定するため信号であることを条件として、排他期間の開始条件を満たしていると判断する。
【００１７】
また、本発明の受信器では、判断手段は、排他期間に、第１または第２の送信器のいずれか一方から排他期間を終了させるための信号を受信したことを条件として、排他期間の終了条件を満たしていると判断する。
【００１８】
また、本発明の受信器では、判断手段は、排他期間に、第１または第２の送信器のいずれか一方からの信号の受信手段が一定時間受信しないことを条件として、排他期間の終了条件を満たしていると判断する。
【００１９】
本発明に従ったリモートコントロールシステムは、第１の送信器と、第２の送信器と、第１および第２の送信器から送信される信号を受信する受信器とを備えたリモートコントロールシステムであって、受信器は、第１および第２の送信器から送信された信号を受信する受信手段と、受信手段が受信した信号が第１または第２の送信器のいずれが送信した信号であるかを特定する特定手段と、受信手段が受信した信号に対応する処理内容を実行する実行手段と、受信手段が受信した信号を実行手段に送信する送信手段と、第１または第２の送信器のいずれか一方から受信した信号を実行手段に排他的に処理させる排他期間の開始条件を満たしているか否か、および、排他期間の終了条件を満たしているか否かを判断する判断手段とを含み、実行手段は、送信手段を介して、受信手段が受信した信号を入力され、送信手段は、判断手段が、排他期間の開始条件が成立したと判断してから排他期間の終了条件が成立したと判断するまで、第１または第２の送信器のいずれか一方が送信したと特定された信号を実行手段に送信し、第１または第２の送信器の他方が送信したと特定された信号は実行手段に送信しない。
【発明の効果】
【００２０】
本発明によれば、受信器において、排他期間の開始条件が成立したと判断されてからその終了条件が成立したと判断されるまでの間は、第１または第２の送信器のいずれか一方から送信された信号のみが、受信手段から実行手段へ送信され、第１または第２の送信器の他方から送信された信号は実行手段へ送信されず、受信器において実行される処理内容に反映されない。
【００２１】
つまり、本発明によれば、排他期間中では、第１または第２の送信器のいずれか一方から送信された信号のみが受信器の処理内容に反映され、他方の送信器から送信された信号が受信器の処理内容には反映されない。
【００２２】
これにより、受信器において、排他期間では、第１の送信器と第２の送信器の双方から送信された信号が混同されて取り扱われることを回避でき、かつ、その他の期間では、第１および第２の送信器の双方からの信号を受け付けることができる。
【００２３】
したがって、複数の送信器から送信される信号を、混信等を回避しつつ、１台の受信器で処理することができる。
【図面の簡単な説明】
【００２４】
【図１】本発明の第１の実施の形態に係るリモートコントロールシステムの概略構成図である。
【図２】図１のリモコンの外観構成を示す図である。
【図３】図１の放送受信装置において実行されるメインルーチンのフローチャートである。
【図４】図３のキー入力処理のサブルーチンのフローチャートである。
【図５】本発明のリモートコントロールシステムの第２の実施の形態の放送受信装置において実行されるメインルーチンのフローチャートである。
【図６】図５のキー入力処理のサブルーチンのフローチャートである。
【図７】本発明の第３の実施の形態のリモートコントロールシステムにおいて実行される、キー入力処理のサブルーチンの変形例のフローチャートである。
【発明を実施するための形態】
【００２５】
以下、本発明に係る送信器を含むリモートコントロールシステムの実施の形態であるテレビジョン受像機について、図面を参照して説明する。各図において、同じ構成要素には同じ符号を付し、共通する特徴については詳細な説明を繰返さない。
【００２６】
［第１の実施の形態］
図１は、この発明の実施の形態に係るリモートコントロールシステムの概略構成図である。
【００２７】
図１を参照して、本実施の形態のリモートコントロールシステムは、送信器を構成するリモコン（リモートコントローラの略）７０Ａ，７０Ｂと、受信器を構成する放送受信装置（テレビジョン受像機）１００を含む。
【００２８】
放送受信装置（テレビジョン受像機）１００は、アンテナ６３およびモニタ４０を接続するとともに、リモコン７０Ａ，７０Ｂから指令信号を受信する。アンテナ６３は、放送信号を受信し、受信した放送信号を放送受信装置１００に出力する。モニタ４０は、放送受信装置１００から出力された映像信号および音声信号を入力し、画面に画像を出力するとともに、スピーカから音声を出力する。
【００２９】
リモコン７０（以下、リモコン７０Ａ，７０Ｂを総称する場合「リモコン７０」という）は、ユーザによる操作を受付けて、操作に応じた指令信号を赤外線で放送受信装置１００に送信する。
【００３０】
なお、リモコン７０から出力されるのは、赤外線の信号に限定されず、無線の信号であってもよい。また、リモコン７０および後述するリモコン受信部２６に代替して、または、リモコン７０およびリモコン受信部２６とともに、放送受信装置１００の本体に、ユーザからの操作を受付けて、操作信号を後述の制御部１０に出力する操作受付部を設けるようにしてもよい。
【００３１】
放送受信装置１００は、制御部１０、チューナ１６、デジタル復調器１８、ＨＤ（High Definition）放送の符号化方式に対応するＭＰＥＧ（Moving Picture Experts Group）に従った復号機能を有するＭＰＥＧデコーダ２２、信号処理部２３、放送受信装置１００の各部に電力を供給するための電源（図面ではＰＷＲと略す）部２９、リモコン受信部２６を含む。
【００３２】
制御部１０は、プログラムを実行するＣＰＵ（Central Processing Unit）１０Ａと、各種のデータを記憶するメモリ１０Ｂとを含む。
【００３３】
チューナ１６は、アンテナ６３を介して受信した放送信号を入力し、入力した放送信号の中から、ＣＰＵ１０Ａからの指示（選局すべき物理チャンネルの情報を含む）に応じて選択した物理チャンネルに対応する放送信号を抽出して出力する。チューナ１６は、抽出した放送信号をデジタル復調器１８へ出力する。
【００３４】
デジタル復調器１８は、チューナ１６から放送信号を受けて、放送信号を映像および音声がデジタル符号化されたＴＳ信号に復調し、ＭＰＥＧデコーダ２２に出力する。
【００３５】
ＭＰＥＧデコーダ２２は、与えられるＴＳ（Transport Stream）信号を入力し、映像信号および音声信号に復号する。そして、復号した映像信号および音声信号を信号処理部２３に出力する。
【００３６】
信号処理部２３は、制御部１０から与えられるデータ（リモコン７０から受信する信号に基づいた視聴する局を選択するデータ等）に基づいて、ＭＰＥＧデコーダ２２から入力した映像信号および音声信号をモニタ４０に出力可能なように信号を処理し、信号処理した映像信号および音声信号をモニタ４０に出力する。モニタ４０は、与えられる映像信号を画像として表示し、音声信号をスピーカ（図示せず）から出力する。
【００３７】
なお、ＭＰＥＧデコーダ２２は、与えられるＴＳ信号から所定の情報を抽出し、チャンネルのリストを作成することもできる。作成したチャンネルのリストは、たとえば制御部１０のメモリ１０Ｂの所定領域に格納される。
【００３８】
信号処理部２３は、ＯＳＤ（On Screen Display）回路２３１を有する。ＯＳＤ回路２３１は、制御部１０から与えられるデータに基づく画像信号を生成し、その生成した信号を、信号処理部２３から出力される映像信号に重畳してモニタ４０に出力する。これにより、データに基づく画像が重畳した番組の映像がモニタ４０の画面に映し出される。
【００３９】
ここでデジタルテレビジョン放送に適用される規格には、たとえば日本のＩＳＤＢ−Ｔ（Integrated Services Digital Broadcasting for Terrestrial）規格の他に、米国のＡＴＳＣ（Advanced Television Systems Committee）規格およびヨーロッパのＤＶＢ−Ｔ（Digital Video Broadcasting for Terrestrial）規格がある。いずれの規格においても、物理チャンネルに多重化された論理チャンネルのコンテンツがＨＤ放送およびＳＤ（Standard Definition）放送のいずれかの方式に従い符号化されている。
【００４０】
（リモコンの外観構成）
放送受信装置１００では、リモコン受信部２６が、リモコン７０Ａまたはリモコン７０Ｂから送信された信号を受信する。リモコン受信部２６は、リモコン７０Ａまたはリモコン７０Ｂから受信すると、受信した信号を制御部１０へ送信する。
【００４１】
図２に、リモコン７０の外観構成を示す。
図２を参照して、リモコン７０は、赤外線等の信号を送信する送信部７１と、キー群を含む。キー群には、放送受信装置１００の電源のＯＮ／ＯＦＦの切替等のために操作される電源キー７２と、１から０の数字等を入力するための数字キー７０３と、放送受信装置１００に対して送信した情報を確定するために操作されるＥＮＴＥＲキー７４と、放送受信装置１００に対して情報を選択するためにモニタ４０に表示されたカーソルの位置を移動させる場合等に操作されるガイドキー７５とが含まれる。
【００４２】
なお、図２では、放送受信装置１００がモニタ４０と一体的に構成されるものとして示されているが、これらは一体的に構成されても良いし、別体で構成されても良い。
【００４３】
（リモコンから送信されるコードデータ）
リモコン７０から送信されるデータには、たとえば、リーダ・コード、カスタム・コードおよびデータ・コードが含まれる。
【００４４】
データ・コードとは、リモコン７０に対してどのキーが操作されたかを示すキーであり、キーごとに異なる。
【００４５】
また、本実施の形態のリモートコントロールシステムでは、リモコン７０Ａとリモコン７０Ｂのすべてのキーに対して異なるデータ・コードが割り当てられている。
【００４６】
メモリ１０Ｂには、データ・コードと、リモコン７０Ａ，７０Ｂの対応関係が、たとえば表１に示されるテーブルとして記憶されている。
【００４７】
【表１】
2010283424.tif 000003
【００４８】
表１では、リモコン７０Ａが「第１リモコン」として、リモコン７０Ｂが「第２リモコン」として、それぞれ示されている。
【００４９】
表１によれば、データ・コードの値について、「００」はリモコン７０ＡのＥＮＴＥＲキー７４に対応し、「０１」はリモコン７０Ａの数字キー７３中の「１」に対応し、「０２」はリモコン７０Ａの数字キー７３中の「２」に対応し、「０３」はリモコン７０Ａの数字キー７３中の「３」に対応する。
【００５０】
つまり、リモコン７０Ａは、ＥＮＴＥＲキー７４を操作されるとデータ・コードの値が「００」である信号を送信し、数字キー７３中の「１」キーを操作されるとデータ・コードの値が「０１」である信号を送信し、数字キー７３中の「２」キーを操作されるとデータ・コードの値が「０２」である信号を送信し、数字キー７３中の「３」キーを操作されるとデータ・コードの値が「０３」である信号を送信する。
【００５１】
また、「３０」はリモコン７０ＢのＥＮＴＥＲキー７４に対応し、「３１」はリモコン７０Ｂの数字キー７３中の「１」に対応し、「３２」はリモコン７０Ｂの数字キー７３中の「２」に対応し、「３３」はリモコン７０Ｂの数字キー７３中の「３」に対応する。
【００５２】
つまり、リモコン７０Ｂは、ＥＮＴＥＲキー７４を操作されるとデータ・コードの値が「３０」である信号を送信し、数字キー７３中の「１」キーを操作されるとデータ・コードの値が「３１」である信号を送信し、数字キー７３中の「２」キーを操作されるとデータ・コードの値が「３２」である信号を送信し、数字キー７３中の「３」キーを操作されるとデータ・コードの値が「３３」である信号を送信する。
【００５３】
本実施の形態のリモートコントロールシステムでは、「００」〜「２９」のデータ・コードがリモコン７０Ａに対して割り当てられ、「３０」〜「５９」のデータ・コードがリモコン７０Ｂに対して割り当てられている。
【００５４】
ＣＰＵ１０Ａは、受信した信号のデータ・コードが、「００」〜「２９」であれば、リモコン７０Ａから受信した信号であると判断し、「３０」〜「５９」であれば、リモコン７０Ｂから受信した信号であると判断する。
【００５５】
なお、ＣＰＵ１０Ａは、信号を受信したときに、表１を参照し、表１のテーブルにおいて、受信した信号に含まれるデータ・コードが関連付けられているリモコンがリモコン７０Ａであるかリモコン７０Ｂであるかによって、受信した信号の送信元がリモコン７０Ａであるかリモコン７０Ｂであるかを判断しても良い。
【００５６】
（リモコンへのキー入力に対して実行される処理）
以下、放送受信装置１００において、リモコン７０Ａ，７０Ｂへのキー入力によって送信される信号がどのように処理されるのかについて、説明する。
【００５７】
図３は、ＣＰＵ１０Ａが実行するメインルーチンのフローチャートである。
図３を参照して、ＣＰＵ１０Ａは、ステップＳ１０で、リモコン７０Ａまたはリモコン７０Ｂから信号を受信したか否かを判断し、受信していないと判断するとステップＳ３０へ処理を進め、受信したと判断するとステップＳ２０へ処理を進める。
【００５８】
ステップＳ３０では、リモコン７０Ａ，７０Ｂから受信した信号の処理以外の処理を実行して、ステップＳ１０へ処理を戻す。
【００５９】
ステップＳ２０では、ＣＰＵ１０Ａは、キー入力処理を実行して、ステップＳ１０へ処理を戻す。
【００６０】
キー入力処理の内容について、当該処理のサブルーチンのフローチャートである図４を参照して説明する。
【００６１】
図４を参照して、キー入力処理では、ＣＰＵ１０Ａは、まず、ステップＳ２１０で、ステップＳ１０で受信した信号が、「排他期間」の開始条件を満たすものであるか否かを判断し、そうであると判断するとステップＳ２２０へ処理を進め、そうではないと判断するとステップＳ２３０へ処理を進める。
【００６２】
本実施の形態において、「排他期間」とは、放送受信装置１００において、複数のリモコン７０の中から、特定のリモコン（たとえば、リモコン７０Ａまたはリモコン７０Ｂのいずれか）から送信されたと特定される信号のみを有効とし、他のリモコン７０（たとえば、リモコン７０Ａとリモコン７０Ｂのいずれか他方から送信されたと特定した信号を無効とする制御が実行される期間である。
【００６３】
本実施の形態において、「排他期間」の開始条件となる信号とは、たとえば、リモコン７０Ａまたはリモコン７０Ｂにおいて数字キー７３が操作されることによって送信された信号であることとされる。具体的には、受信した信号のデータ・コードが、リモコン７０Ａまたはリモコン７０Ｂについての数字キー７３に対応するコードである信号となる。
【００６４】
ステップＳ２２０では、ＣＰＵ１０Ａは、排他期間を開始するための設定処理を行ない、ステップＳ２５０へ処理を進める。
【００６５】
排他期間を開始するための設定処理とは、たとえば、排他期間フラグをＯＮすることが挙げられる。また、当該排他期間において、入力を受付けるリモコンを特定する情報も、ここでは設定される。なお、ステップＳ１０で受信した信号の送信元のリモコンが、入力を受付けるリモコンとされる。
【００６６】
一方、ステップＳ２３０では、ＣＰＵ１０Ａは、ステップＳ１０で受信した信号が、「排他期間」を終了させる条件を満たしているものであるか否かを判断し、そうであると判断するとステップＳ２４０へ処理を進め、そうではないと判断するとステップＳ２５０へ処理を進める。
【００６７】
ステップＳ２４０では、ＣＰＵ１０Ａは、「排他期間」を終了する情報を設定して、ステップＳ２５０へ処理を進める。
【００６８】
ステップＳ２４０では、ＣＰＵ１０Ａは、たとえば、ステップＳ２２０で設定した内容を解除する。つまり、たとえば、排他期間フラグをＯＦＦする。
【００６９】
ステップＳ２５０では、ＣＰＵ１０Ａは、ステップＳ１０で受信した信号が、有効なリモコンから送信されたものであるか否かを判断する。具体的には、現在「排他期間」中であるか否かを判断し、そうでなければ、ステップＳ１０で受信した信号の内容が放送受信装置１００で処理可能か（たとえば、そのデータ・コードが、表１に挙げられているものであるか等）が判断される。一方、現在「排他期間」中であれば、ステップＳ１０で受信した信号の送信元か、ステップＳ２２０で入力を有効とされたリモコンであるか否かを判断し、そのようなリモコンが送信元であればステップＳ２６０へ処理が進められ、そのようなリモコン以外のリモコンが送信元であれば、受信した信号を処理することなく破棄して、処理を図３へリターンさせる。
【００７０】
ステップＳ２６０では、ＣＰＵ１０Ａは、ステップＳ１０で受信した信号に従った処理（キー処理）を実行して、図３へ処理をリターンさせる。
【００７１】
以上、図３および図４を参照して説明した処理によれば、放送受信装置１００は、リモコン７０Ａかリモコン７０Ｂのいずれかから、数字キー７３が操作されることによって送信された信号を受信すると、「排他期間」の制御が開始される。これにより、放送受信装置１００では、上記した数字キー７３への操作に基づいて信号を送信してきたリモコンからの信号のみを有効とし、排他期間が終了するまで、他のリモコンからの入力を無効とする。ここで、入力を無効にするとは、たとえば、そのようなリモコンから受信した信号に対して、当該信号に従った内容の処理を実行することなく、当該信号を破棄することをいう。
【００７２】
このような「排他期間」の制御は、放送受信装置１００が「排他期間」を終了させるための条件を満たす信号を受信するまで継続される。ここで、このような終了条件を満たす信号としては、たとえば、継続中の「排他期間」において入力を有効とされるリモコンからの、ＥＮＴＥＲキー７４が操作されたことによって送信された信号を受信することが挙げられる。
【００７３】
つまり、本実施の形態では、たとえば、リモコン７０Ａを第１のユーザが操作し、リモコン７０Ｂを第２のユーザが操作する場合であって、第１のユーザが放送受信装置１００に対して２チャンネルを選局するために数字キー７３の「２」を操作し、その後、ＥＮＴＥＲキー７４を操作して２チャンネルの選局を確定させようとした場合を考える。
【００７４】
この場合に、第１のユーザの放送受信装置１００の操作の前に、第２のユーザが数字キー７３の「２」を操作することにより、放送受信装置１００には、連続して「２」が２回入力されたこととなる。そして、その後第１のユーザがＥＮＴＥＲキー７４が操作することにより、２回の「２」の入力により、２２チャンネルの選局が確定されてしまう事態が想定される。
【００７５】
本実施の形態の処理は、このような事態が想定されるリモートコントロールシステムに対して、効果を奏する。
【００７６】
具体的には、放送受信装置１００において、第１のユーザがリモコン７０Ａで数字キー７３の「２」の操作に基づく信号を送信すると、放送受信装置１００では、リモコン７０Ａのみの入力を有効とする「排他期間」が開始される。
【００７７】
これにより、リモコン７０ＡからＥＮＴＥＲキー７４への操作に基づく信号が送信される前に、リモコン７０Ｂが第２のユーザに数字キー７３の「２」を操作されることにより放送受信装置１００に信号を送信しても、放送受信装置１００では、リモコン７０Ａについての排他期間に入っているため、リモコン７０Ｂから受信した信号は、破棄されるため、実質的には無効とされる。
【００７８】
本実施の形態では、排他期間では、特定のリモコン以外のリモコンからリモコン受信部２６が受信した信号を信号処理部２３に送信しないＣＰＵ１０Ａにより、受信器における送信手段が構成されている。なお、ＣＰＵ１０Ａは、排他期間以外の期間では、リモコン受信部２６がリモコン７０Ａおよびリモコン７０Ｂのいずれから信号を受信しても、当該信号に基づく情報を信号処理部２３に送信する。
【００７９】
その後、リモコン７０Ａに対してＥＮＴＥＲキー７４が操作されることによって放送受信装置１００に信号が送信されると、放送受信装置１００では、「排他期間」の終了条件が満たされたとして、「排他期間」が終了されるとともに、その前に有効な入力であったリモコン７０Ａから受信していた、２チャンネルを選局するための情報である、数字キー７３の「２」の入力情報を確定させる処理が実行される。これにより、放送受信装置１００では、２チャンネルが選局された状態となる。また、リモコン７０Ａについての排他期間の終了条件が満たされているので、リモコン７０Ａとリモコン７０Ｂの双方の入力を有効とする状態となっている。
【００８０】
本実施の形態では、放送受信装置１００において、排他期間に信号処理の対象とされたリモコンから、ＥＮＴＥＲキー７４の操作に基づいて送信される信号が、排他期間を終了させるための信号となる。
【００８１】
［第２の実施の形態］
本実施の形態では、「排他期間」の終了条件が、ステップＳ２２０で「排他期間」が開始されてから所定時間が経過したこととされる。
【００８２】
図５は、本実施の形態のＣＰＵ１０Ａが実行するメインルーチンのフローチャートである。
【００８３】
図５を参照して、ＣＰＵ１０Ａは、まずステップＳ１０で、リモコン７０から信号を受信したか否かを判断し、受信したと判断するとステップＳ２０へ処理を進める。
【００８４】
また、受信していないと判断するとステップＳ２２へ処理を進める。
ステップＳ２０のキー入力処理のサブルーチンのフローチャートを図６に示す。
【００８５】
図６を参照して、キー入力処理では、ＣＰＵ１０Ａは、まずステップＳＡ１０で、現在、排他期間中であるか否かを判断し、そうであると判断するとステップＳＡ２０へ処理を進め、そうではないと判断するとステップＳＡ３０へ処理を進める。
【００８６】
ステップＳＡ２０では、ＣＰＵ１０Ａは、ステップＳ１０で受信した信号の送信元が、現在実行されている排他期間の制御において入力を有効とされているリモコンであるか否かを判断し、そうであると判断するとステップＳＡ３０へ処理を進め、そうではないと判断すると、ステップＳ１０で受信した信号を破棄して、処理を図５へリターンさせる。
【００８７】
一方、入力を有効とされるリモコンが送信先である場合には、ＣＰＵ１０Ａは、ステップＳＡ３０へ処理を進める。
【００８８】
ステップＳＡ３０では、ＣＰＵ１０Ａは、ステップＳ２６０（図４参照）と同様に、キー処理を実行して、ステップＳＡ４０へ処理を進める。
【００８９】
ステップＳＡ４０では、ＣＰＵ１０Ａは、ステップＳ１０で受信した信号が、排他期間の開始条件を満たすものであるか否かを判断し、そうであると判断するとステップＳＡ５０へ処理を進め、そうではないと判断すると、そのまま処理を図５へ戻す。
【００９０】
ステップＳＡ５０では、ＣＰＵ１０Ａは、ステップＳ２２０（図４参照）と同様に、排他期間を開始する設定を行ない、処理を図５へ戻す。
【００９１】
図５へ戻って、ＣＰＵ１０Ａは、ステップＳ２０でキー入力処理を実行した後、処理を、ステップＳ１０へ戻す。
【００９２】
ステップＳ２２では、ＣＰＵ１０Ａは、ステップＳＡ５０で排他期間を開始させてから、所定時間（たとえば、１０秒）が経過したか否かを判断し、経過したと判断するとステップＳ２４へ処理を進め、まだ経過していないと判断するとステップＳ３０へ処理を進める。
【００９３】
ステップＳ２４では、ＣＰＵ１０Ａは、ステップＳ２４０（図４参照）と同様に、排他期間を終了させる設定を実行して、ステップＳ３０へ処理を進める。
【００９４】
ステップＳ３０では、ＣＰＵ１０Ａは、図３を参照して説明したステップＳ３０と同様に、その他の処理を実行して、ステップＳ１０へ処理を戻す。
【００９５】
［第３の実施の形態］
図７は、図６のキー入力処理のサブルーチンの変形例のフローチャートである。
【００９６】
本変形例のキー入力処理では、ステップＳＡ４０で、ステップＳ１０で受信した信号が排他期間の開始条件を満たすものではなかったと判断すると、ＣＰＵ１０Ａは、ステップＳＡ６０へ処理を進める。
【００９７】
ステップＳＡ６０では、ＣＰＵ１０Ａは、ステップＳ１０で受信した信号が、排他期間の終了条件を満たすものであるか否かを判断し、そうであると判断するとステップＳＡ７０へ処理を進め、そうではないと判断すると、そのまま図５へ処理を戻す。
【００９８】
ステップＳＡ７０では、ＣＰＵ１０Ａは、ステップＳ２４と同様に、排他期間を終了させるための設定を実行して、図５へ処理を戻す。
【００９９】
本実施の形態では、排他期間は、図５のステップＳ２２として説明したように、排他期間の開始から所定時間が経過したことによっても終了し、また、ステップＳＡ６０として説明したように、放送受信装置１００が受信した信号が排他期間の終了条件を満たすものであった場合でも、終了する。
【０１００】
［その他の変形例等］
各実施の形態では、リモコン７０Ａとリモコン７０Ｂは、同様の構成を有しているものとしているが、本発明のリモートコントロールシステムを構成する複数の送信器は、互いに異なる構成を有していても良い。
【０１０１】
また、リモートコントロールシステムを構成する複数の送信器の数は「２」に限定されない。リモートコントロールシステムを構成するリモコン７０Ａとリモコン７０Ｂに備えられるすべてのキーについて、互いに異なるデータ・コードが割り付けられていれば、リモコン７０Ａとリモコン７０Ｂとが、備えられるキーの数が異なる等、異なる構成を有している場合であっても、本明細書に記載の技術を適用することができる。
【０１０２】
各実施の形態において、排他期間を開始する条件となる入力は、数字キー７３が操作されたことに基づく信号の入力とされたが、これに限定されない。キー入力に基づくものであって、さらに、当該キー入力が、セットアップメニューの設定を開始するためのキー入力である場合や、放送受信装置１００が録画機能を有する場合の録画予約を行なうためのキー入力である場合や、ユーザのパスワードを入力するためのキー入力に限定されても良い。セットアップメニューとは、時計機能やＯＳＤ（オンスクリーンディスプレイ）の言語の設定など、放送受信装置１００の動作状態を設定するためのメニューである。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０４】
１０  制御部、１０Ａ  ＣＰＵ、１０Ｂ  メモリ、２３  信号処理部、４０  モニタ、７０，７０Ａ，７０Ｂ  リモコン、７１  信号送信部、７２  電源キー、７３  数字キー、７４  ＥＮＴＥＲキー、７５  ガイドキー、１００  放送受信装置。
【図１】
2010283424.tif 000004
【図２】
2010283424.tif 000005
【図３】
2010283424.tif 000006
【図４】
2010283424.tif 000007
【図５】
2010283424.tif 000008
【図６】
2010283424.tif 000009
【図７】
2010283424.tif 000010